(57)【要約】【課題】キャップ着脱時にブラシ毛がバラケない化粧料用塗布具を提供する。【解決手段】塗布具１は、先端にブラシ２を保持するブラシ保持部１８を設けた塗布具本体４と、この塗布具本体４と螺旋３，５により着脱する筒状のキャップ６とからなり、前記キャップ６は、内部に塗布液を収容する塗布液収容部７と、キャップ６内側に回転可能に設け、ブラシ２の先端部の移動をガイドするテーパー状内面８を設けた筒状のガイド部材９と、このガイド部材９と一体に設けたワイパー部材１１とを設けてなり、塗布具本体４のブラシ保持部１８とキャップ６のガイド部材９には、塗布具本体４の挿入方向にはフリー状態で、回転方向には連動するように係合部を設けてなるものである。【選択図】図１
2010200923.tif 000002
【特許請求の範囲】
【請求項１】
先端にブラシを保持するブラシ保持部を設けた塗布具本体と、一端を開放し他端を閉塞し、前記塗布具本体のブラシ側を前記開放端から挿入し、前記塗布具本体に螺旋により着脱可能に、かつ互いの中心線が一致するように装着し得る筒状のキャップとからなり、前記キャップは、内部に塗布液を収容する塗布液収容部と、この塗布液収容部より前記開放端側に位置してキャップの中心線を中心に回転可能に設け、前記塗布具本体が挿入される際にブラシ先端部をガイドするためのテーパー面を設けた筒状のガイド部材と、このガイド部材の前記塗布液収容部側に位置して前記ガイド部材と一体的に設け、ブラシ先端部をガイドするためのテーパー面を有するとともに、前記ブラシ先端部が挿入し得るワイパー孔を有するワイパー部材とを備え、前記塗布具本体のブラシ保持部と、前記キャップのガイド部材には、前記塗布具本体の挿入方向にはフリー状態で、回転方向には連動するよう係合部を設けてなる化粧料用塗布具。
【請求項２】
係合部は、塗布具本体とキャップの中心線方向に伸びる複数の係合突縁で構成したことを特徴とする請求項１記載の化粧料用塗布具。
【発明の詳細な説明】
【技術分野】
【０００１】
本発明は、ラメ入り液状化粧料などの粘度の高い化粧料を塗布するためのアイライナーなどのブラシを有する化粧料用塗布具に関するものである。
【背景技術】
【０００２】
従来の化粧料用塗布具には、先端に化粧筆（ブラシ）を設けた塗布部材を有するキャップと、口部を有し内部に液状化粧料を収納する容器とからなるものがある（特許文献１参照）。前記塗布部材は、その化粧筆を口部から容器内に挿入した状態で前記口部を閉塞可能に構成し、前記口部には、化粧筆に付着した余分の液状化粧料を扱いて落とすための払拭部材（ワイパー）を設けてある
【先行技術文献】
【特許文献】
【０００３】
【特許文献１】特開平０９−２３８７４１号公報
【発明の概要】
【発明が解決しようとする課題】
【０００４】
前記従来の化粧料用塗布具は、ブラシを口部から容器内に挿入する際に、ブラシの先端部がワイパーに強く接触してブラシ毛の形状が乱れ、毛先がばらつくので、細い線が引きにくいという不都合がある。
【０００５】
本発明は、上記不都合を解消することを課題とし、該課題を解決した化粧料用塗布具を提供することを目的とする。
【課題を解決するための手段】
【０００６】
前記目的を達成するために、請求項１に係る本発明の化粧料用塗布具は、先端にブラシを保持するブラシ保持部を設けた塗布具本体と、一端を開放し他端を閉塞し、前記塗布具本体のブラシ側を前記開放端から挿入し、前記塗布具本体に螺旋により着脱可能に、かつ互いの中心線が一致するように装着し得る筒状のキャップとからなり、前記キャップは、内部に塗布液を収容する塗布液収容部と、この塗布液収容部より前記開放端側に位置してキャップの中心線を中心に回転可能に設け、前記塗布具本体が挿入される際にブラシ先端部をガイドするためのテーパー面を設けた筒状のガイド部材と、このガイド部材の前記塗布液収容部側に位置して前記ガイド部材と一体的に設け、ブラシ先端部をガイドするためのテーパー面を有するとともに、前記ブラシ先端部が挿入し得るワイパー孔を有するワイパー部材とを備え、前記塗布具本体のブラシ保持部と、前記キャップのガイド部材には、前記塗布具本体の挿入方向にはフリー状態で、回転方向には連動するよう係合部を設けてなるものである。
【０００７】
また、請求項２に係る本発明の化粧料用塗布具は、前記請求項１に係る発明の構成を備えたうえ、係合部は、塗布具本体とキャップの中心線方向に伸びる複数の係合突縁で構成したものである。
【発明の効果】
【０００８】
請求項１に係る本発明によれば、キャップと塗布具本体の着脱時に、螺合あるいは螺合を解くためにキャップに対して塗布具本体を回転した際、キャップ側と塗布具側の係合突部が係合し、ブラシがガイド部材及びワイパー部材と一緒に回転するので、ブラシはガイド部材及びワイパー部材と接触しても、回転力が付与されないのでねじれることがなく、キャップと塗布具本体との着脱時に、ブラシ毛がばらけないという効果を奏する。
【０００９】
また、請求項２に係る発明によれば、請求項１に係る発明の奏する効果に加えて、係合部を塗布具本体とキャップの中心線方向に伸びる複数の係合突縁で構成したので、ブラシ保持部とガイド部材とを確実に一緒に回転することができるという効果を奏する。
【図面の簡単な説明】
【００１０】
【図１】図１は塗布具の縦断正面図。
【図２】図２はキャップに塗布具本体に挿し込む前の状態を部分的に示す正面図。
【図３】図３は図２のＡ−Ａ線拡大断面図。
【図４】図４は図２のＢ−Ｂ線拡大断面図。
【発明を実施するための形態】
【００１１】
以下に、本発明の好適な実施形態を添付図面の図１〜図４に基づいて詳細に説明する。
【００１２】
図１及び図２に示すように、塗布具１は、先端にブラシ２を設け、先端小径部の外周に雄螺旋３を設けた塗布具本体４と、一端を開放する一方他端を閉塞し、前記雄螺旋３に螺合し得る雌螺旋５を前記開放端近傍の内周に設けた筒状のキャップ６とからなり、前記塗布具本体４と前記キャップ６は雌雄螺旋３，５により着脱可能である。そして、前記塗布具本体４と前記キャップ６の装着状態においては、互いの中心線は一致する。
【００１３】
図１及び図４に示すように、前記キャップ６は、内部に塗布液（図示せず）を収容する塗布液収容部７と、この塗布液収容部７より前記開放端側に位置してキャップ６の中心線を中心に回転するように設け、開放端側から塗布液収容部７側に向って徐々に内径が縮小するテーパー状内面８を有する筒状のガイド部材９と、このガイド部材９の前記塗布液収容部７側に位置して前記ガイド部材９と緊密に接合することで一体的に設け、前記テーパー状内面８に連続するテーパー状内面２４を有し、塗布液収容部７の前記開放端側を閉塞するとともに前記ブラシ２先端が挿通し得る三角形のワイパー孔１０を先端に有するワイパー部材１１とを備える。前記テーパー状内面８には、所定間隔をおいてブラシ２の挿入方向に伸びる複数の係合突縁１２を突設する。
【００１４】
図１及び図４に示すように、前記ガイド部材９は、キャップ６の中心線の周りを回転可能となるようにキャップ６内に嵌挿されたものである。このガイド部材９は、弾発スプリング１３の一端に当接してキャップ６の開放端側に付勢される一方、その開放端側は、前記キャップ６内周に設けた段部１４に係止している。前記弾発スプリング１３の他端は、キャップ６の閉塞端を形成する閉塞体１５の固定筒１５ａ内端に支持されている。なお、図１中の符号１６は、前記キャップ６とガイド部材９間から塗布液が漏洩するのを防ぐための密閉リングである。
【００１５】
図１〜図３に示すように、塗布具本体４は、その先端に前記ブラシ２を保持するとともに、前記キャップ６のガイド部材９のテーパー状内面８に対応するような、塗布具本体４の先端に向ってその外径を徐々に縮小するテーパー状外面１７を有するブラシ保持部１８を設ける。前記テーパー状外面１７には、前記キャップ６の各係合突縁１２間に入り込み、これらに係合するための複数の係合突縁１９を突設する。前記係合突縁１２，１９が係合部を構成する。そして、キャップ６と塗布具本体４との装着時には、前記各係合突縁１２は前記テーパー状外面１７に、また前記各係合突縁１９は前記テーパー状内面６に近接した状態となる。さらに、前記キャップ６のガイド部材９のテーパー状内面８と、前記塗布具本４のブラシ保持部１８のテーパー状外面１７とは、複数の係合突縁１２間に、複数の係合突縁１９が対応位置して互いの中心線方向に移動可能なので、前記キャップ６への前記塗布具本体４の挿入は阻止されない。一方、塗布具本体４をキャップ６の中心線を中心に回転する際、すなわち、塗布具本体４とキャップ６とを螺合する際には、両係合突縁１２，１９どうしが係合するので、キャップ６のガイド部材９及びワイパー部材１１が塗布具本体４とともに回転するのである。
【００１６】
図１に示すように、前記塗布液収容部７内には、金属製の攪拌ボール２０が移動可能に入っている。この攪拌ボール２０は、塗布具１を振って移動させることによって塗布液収容部７内に収容された塗布液であるラメ入り液状化粧料などの粘度の高い化粧料を掻き混ぜて均一化するためのものである。
【００１７】
図１に示すように、ガイド部材９には、前記ワイパー部材１１の塗布液収容部７側に、ワイパー孔１０から突出したブラシ２先端部に攪拌ボール２０が当たって、これがばらけたり傷つくのを防ぐとともに、攪拌ボール２０の移動を阻止するための保護部材２１を一体的に設ける。この保護部材２１は、前記ガイド部材９内壁に密接する円筒状の周壁を有し、ガイド部材９とともに回転する一方、中央に前記攪拌ボール２０より小径で、かつ塗布液を内側の液溜２２に通過させ得るようになした塗布液通過孔２３ａを設けた仕切板２３を有する。なお、前記攪拌ボール２０は、仕切板２３から突出するブラシ２の最先端部分に当たって、この最終端部分が塗布液で凝固するのを防ぐとともに、塗布液が中心部まで侵入するようにする。
【００１８】
図１及び図４に示すように、前記ワイパー部材１１は、前記保護部材２１の前記液溜２２側に隣接するよう配置してあり、ワイパー孔１０を先端に有し、他端が前述のガイド部材９のテーパー状内面８に連続するテーパー状内面２４を有する。そして、このワイパー部材１１は、柔軟性をもつシリコン材で構成される。また、前記ワイパー部材１１は、前記保護部材２１の前記液溜２２を閉塞するように配置されるとともに、その先端のワイパー孔１０は、保護部材２１の液溜２２内に位置する。
【００１９】
以上のように構成した塗布具１の使用態様を以下に説明する。先ず、キャップ装着状態（螺合状態）において、塗布具１の天地を入れ替え、塗布液収容部７内で攪拌ボール２０を移動させることによって、前記塗布液収容部７内の塗布液（図示せず）は掻き混ぜられ、ラメが塗布液中で均等に分布する。なお、前記塗布液収容部７内で移動する攪拌ボール２０は、保護部材２１の塗布液通過孔２３ａより径が大きいので、保護部材２１の液溜２２には入ることがない。一方、塗布液収容部７に充填した塗布液は、前記塗布液通過孔２３ａを通って保護部材２１の液留２２に入り込んだ状態となっており、ブラシ２先端部が液溜２２内の塗布液に浸った状態となり、該ブラシ２先端部に塗布液が付着する。使用者は、キャップ２を外し、塗布液が付着したブラシ２を使ってアイラインを引くことができる。この際、後述するように、ブラシ２先端部がばらけることがないので、細い線を引くことができる。
【００２０】
続いて、化粧終了後、塗布具本体４先端のブラシ２をキャップ６内にその開放端から挿入する際には、キャップ６側の複数の係合突縁１２間に、塗布具本体４側の複数の係合突縁１９を対応させ、雌螺旋５に雄螺旋３が達するまで挿し込む。次いで、塗布具本体４をキャップ６の中心線を中心に回転すると両係合突縁１２，１９どうしが係合して、キャップ６のガイド部材９、ワイパー部材１１及び保護部材２１が塗布具本体４とともに回転する。このようにキャップ６のガイド部材９及びワイパー部材１１が塗布具本体４と一緒に回転すると、ブラシ２はガイド部材９及びワイパー部材１１に接触しても、ねじれることなく進むので、ブラシ毛はばらけず、ブラシ２の先端部はワイパー孔１０に導かれる。さらに、前記ワイパー部材１１は柔軟材料であるシリコンで構成されているので、テーパー状内面２４でブラシ２の先端部が当接しても、テーパー状内面２４が変形してブラシ２の先端部に力が加わりにくい。前記螺合が完了すると、ブラシ２の先端部は、塗布液通過孔２３ａを挿通した状態で、その最先端は保護部材２１の液溜２２内に位置し、新たに塗布液が付着する。
【００２１】
なお、本発明は、上記実施形態に何ら限定されるものではなく、例えば、適用する塗布液はアイライン用ではなく、他の化粧料であってもよい。また。係合突縁１２，１９は、複数ではなく単数であってもよい。さらに、保護部材２１はガイド部材９と一体的に設けなくてもよく、この場合は保護部材２１はガイド部材９とともに回転することはない。
【符号の説明】
【００２２】
１    塗布具
２    ブラシ
３    雄螺旋
４    塗布具本体
５    雌螺旋
６    キャップ
７    塗布液収容部
８    テーパー状内面
９    ガイド部材
１０    ワイパー孔
１１    ワイパー部材
１２    係合突縁
１３    弾発スプリング
１４    段部
１５    閉塞体
１５ａ    固定筒
１６    密閉リング
１７    テーパー状外面
１８    ブラシ保持部
１９    係合突縁
２０    攪拌ボール
２１    保護部材
２２    液溜
２３    仕切板
２３ａ    塗布液通過孔
２４    テーパー状内面
【図１】
2010200923.tif 000003
【図２】
2010200923.tif 000004
【図３】
2010200923.tif 000005
【図４】
2010200923.tif 000006